(57)【要約】【課題】  着脱可能な記憶媒体に記憶された送信宛先のファクシミリ番号をファクシミリ装置側のプログラムで読み出す場合、その装置のプログラムに依存されてしまい、プログラムの入っていない他の装置では、使用できない。【解決手段】  着脱可能な記憶媒体に送信宛先情報と、そのデータを抽出、登録するプログラムを予め記憶媒体に保存して、データを抽出、登録する手段を併せ持つことで、プログラムの入っていない他の装置においても記憶媒体の送信宛先情報が利用できる。【選択図】        図１
2009130788.tif 000002
【特許請求の範囲】
【請求項１】
回線網を介してデータの送信が可能な通信装置であって、
前記データの送信宛先情報を記憶するための内部記憶部と、
複数の送信宛先情報と、該送信宛先情報から所望の送信宛先情報を抽出するための抽出プログラムと、前記所望の送信宛先情報を前記内部記憶部に記憶させる登録プログラムが格納されて装置に着脱可能な記憶媒体と、
装着された前記記憶媒体から前記複数の送信宛先情報と、前記抽出プログラム及び登録プログラムを取得し、該抽出プログラム及び登録プログラムを実行し、前記複数の送信宛先情報を前記内部記憶部に記憶させる送信宛先登録部と、
を含むことを特徴とする通信装置。
【請求項２】
前記送信宛先情報から送信先を選択し、データの送信が完了すると、送信履歴情報に対応して、送信履歴を前記記憶媒体に書き込む送信履歴書込部を有することを特徴とする請求項１記載の通信装置。
【請求項３】
前記記憶媒体は通信装置との接続が可能な半導体メモリであることを特徴とする請求項１または２記載の通信装置。
【請求項４】
前記着脱可能な記憶媒体は通信装置との接続が可能なＵＳＢメモリであることを特徴とする請求項１または２記載の通信装置。
【発明の詳細な説明】
【技術分野】
【０００１】
本発明は、回線網を介してデータの送信を行う通信装置に関する。
【背景技術】
【０００２】
従来、通信装置であるファクシミリ装置では、送信宛先のＦＡＸ番号を予めメモリに登録し、この登録したＦＡＸ番号を利用してファクシミリ送信を行っていた。しかし、登録されたＦＡＸ番号は、その登録したファクシミリ装置のみで利用される為、他のファクシミリ装置で同一のＦＡＸ番号を使う場合には、同様に登録しておく必要があり、非常に面倒であった。
【０００３】
そこで、下記特許文献１に示すように、ファクシミリ装置の送信宛先であるＦＡＸ番号をフロッピーディスクに記憶し、その送信宛先のＦＡＸ番号を装置に設定したプログラムにより読み出し、送信宛先のＦＡＸ番号として使用する構成のファクシミリ装置が提案されている。
【特許文献１】特開平０８−１２５８２３号公報
【発明の開示】
【発明が解決しようとする課題】
【０００４】
ところで、上述した従来の通信装置では、着脱自在な記憶媒体に記憶された宛先情報を抽出するプログラムを通信装置内に記憶していたため、予め通信装置内に宛先情報を読み出すプログラムが記憶されていない通信装置では、着脱自在な記憶媒体に記憶された宛先情報を読み出すことができなかった。
【０００５】
上記問題を鑑みて、本発明は、装置側に予めプログラムが設定されていなくても、着脱可能な記憶媒体の送信宛先情報を読み出して利用することができる、汎用性の高い通信装置を提供することを目的とする。
【課題を解決するための手段】
【０００６】
本発明は、以上の問題を解決する為に、次の構成を具備する。
【０００７】
本発明は、回線網を介してデータの送信が可能な通信装置であって、上記データの送信宛先情報を記憶するための内部記憶部と、複数の送信宛先情報と、その送信宛先情報から所望の送信宛先情報を抽出するための抽出プログラムと、上記所望の送信宛先情報を上記内部記憶部に記憶させる登録プログラムが格納されて装置に着脱可能な記憶媒体と、装着された上記記憶媒体から上記複数の送信宛先情報と、上記抽出プログラム及び登録プログラムを取得し、その抽出プログラム及び登録プログラムを実行し、上記複数の送信宛先情報を上記内部記憶部に記憶させる送信宛先登録部とを含むことを特徴とする。
【発明の効果】
【０００８】
本発明によれば、着脱自在な記憶媒体に、宛先情報と、送信宛先情報を読み出すプログラムを保存しておくことで、予め通信装置内に宛先情報を読み出すプログラムが記憶されていない通信装置でも着脱自在な記憶媒体に記憶された宛先情報を読み出すことができるので、汎用性が高くなる。
【発明を実施するための最良の形態】
【０００９】
以下、本発明の実施形態を説明する。ここでは、通信装置としてファクシミリ装置を適用し、着脱可能な記憶媒体として着脱可能メモリを適用して説明する。
【実施例１】
【００１０】
図１は、実施例１に係るファクシミリ装置の構成のブロック図である。
図に示すように、ファクシミリ装置１００は、印刷部１と、画像読取部２と、網制御部３と、モデム部４と、ＲＯＭ５と、送信宛先登録部６と、ＲＡＭ７と、送信宛先記憶部８と、ＣＰＵ９と、表示部１０と、操作部１１と、メモリインターフェース部１２と、着脱可能メモリ１３と、共通バス１７とを備える。
【００１１】
印刷部１は、外部のファクシミリ装置から受信した画像データ、又は複写の際に画像読取部２が読み取った画像データをファクシミリ装置１００に予め収納されたＡ４サイズ、Ｂ４サイズ等の記録紙上に印刷する部分である。
【００１２】
画像読取部２は、ファクシミリ送信する原稿、もしくは複写する原稿を走査し、画像データに変換する部分である。画像データへの変換手段は既知の様々な方式を採用することができる。例えば、原稿台ガラス上に対象原稿を置き密着型ラインイメージセンサを走行させて読み取る方式、またはＣＣＤイメージセンサを走行させて読み取る方式等がある。
【００１３】
網制御部３は、通信回線網と接続し、回線の発呼、着信の制御を行ない、相手先ファクシミリ装置とのデータの送受信を行う部分である。
【００１４】
モデム部４は、網制御部３が相手先ファクシミリ装置から受信したデータを復調し、画像データに変換する部分である。一方、相手先ファクシミリ装置へ送信の際には、画像データを変調し、変調されたデータを網制御部３に送出する部分である。
【００１５】
ＲＯＭ５（ＲＥＡＤ  ＯＮＬＹ  ＭＥＭＯＲＹ）は、ファクシミリ装置１００を制御する所定の制御プログラムが予め格納されているメモリである。このＲＯＭ５はファクシミリ装置１００の電力が遮断されても記憶内容が保持される不揮発性メモリである。例えば、電気的に書き換え可能なフラッシュメモリ等である。その内部には送信宛先登録部６を起動させるブログラムが含まれている。
【００１６】
送信宛先登録部６は、ＲＯＭ５に格納されている所定の制御ブログラムを、後述するＣＰＵ９が実行することにより起動され、着脱可能メモリ１３内に格納されているファイル、及びプログラムを受け入れて、送信宛先を送信宛先記憶部８に登録させる部分である。即ち、ＣＰＵ９が送信宛先登録部６を起動させることにより、送信宛先登録部６は、着脱可能メモリ１３の装着が確認されていると、送信宛先情報ファイル１６、送信宛先情報抽出プログラム１５、送信宛先登録プログラム１４の有無を確認し、存在すると、各ファイルまたはプログラムをメモリインターフェース部１２を介して取得し、ＲＡＭ７（後述）上に展開する。更に、送信宛先登録部６は、ＲＡＭ７上に展開された該プログラムをＣＰＵ９に実行させることによって送信宛先リストを送信宛先記憶部８（後述）に登録し、ファクシミリ装置１００を送信選択モードに遷移させる部分である。
【００１７】
ＲＡＭ７（ＲＡＮＤＯＭ  ＡＣＣＥＳＳ  ＭＥＭＯＲＹ）は、ＣＰＵ９が制御プログラムを実行するときに必要になる演算領域を提供するメモリである。即ち、ＲＡＭ７は、原稿を読み取って生成された画像データ、装置の設定データ、調整データなどのワークメモリとして用いられ、一時的に格納される揮発性メモリである。ＲＡＭ７内には、送信宛先記憶部８が形成される。この送信宛先記憶部８には、前述の送信宛先登録部６によって生成された送信宛先リストが格納される。
【００１８】
なお、ＲＡＭ７は、前述の画像データ１頁分、装置の設定データ、調整データ、送信宛先記憶部８の送信宛先リストで用いてもオーバフローしない容量を有している。
【００１９】
ＣＰＵ９は、マイクロコンピュータであり、ＲＯＭ５に格納された制御プログラムを実行することによってファクシミリ装置１００の各機能を実現させる部分である。ＣＰＵ９は、制御する各部と共通バス１７で接続されており、機能に応じて各部を統括制御することになる。
【００２０】
表示部１０は、ファクシミリ装置１００の各種メッセージをユーザーに対して表示する表示板である。また、本発明では前述の送信宛先リストを表示し、ユーザーが送信宛先を選択するのに用いられる表示板でもある。
【００２１】
操作部１１は、上記表示部１０と共にユーザーとファクシミリ装置１００との間でマンマシンインタフェースの役割を分担する部分である。特に、ユーザーがファクシミリ装置１００の動作の開始、停止、通信先の指定などを行う入力機能を持つ。この入力機能には番号入力用のテンキー、ＦＡＸ開始釦、停止釦、上下選択釦等が用意される。
【００２２】
メモリインターフェース部１２は、着脱可能なコネクタを有しており、着脱可能メモリ１３とＣＰＵ９とのデータ交換の仲介を行う部分である。例えば着脱可能メモリがＵＳＢメモリであれば、メモリインターフェース部１２には、着脱可能メモリ１３とのデータ授受の為にＵＳＢ・Ｍａｓｓ・Ｓｔｏｒａｇｅ・Ｃｌａｓｓ用のドライバが組み込まれる。「ＵＳＢ・Ｍａｓｓ・Ｓｔｏｒａｇｅ・Ｃｌａｓｓ」はＵＳＢの規格であり、ハードディスクなどをリムーバブルドライブとして認識するための仕様である。着脱可能メモリ１３が装置に装着されたのを検出するとＣＰＵ９へ通知する部分でもある。
【００２３】
着脱可能メモリ１３は、ファクシミリ装置１００に後から着脱可能に構成されているメモリである。通常はＵＳＢメモリで構成される。その内部には、送信宛先情報ファイル１６と、送信宛先情報抽出プログラム１５と、送信宛先登録プログラム１４とが予め格納されている。
【００２４】
図２は、実施例１の送信宛先情報ファイルの説明図である。
送信宛先情報ファイル１６には、図に示すような送信宛先データが予め格納されている。送信宛先データは、テキストデータで作成され、送信宛先の登録番号、送信宛先名称、ＦＡＸ番号、Ｅ−ＭＡＩＬアドレスの各情報が書き換え可能に記録されている。送信宛先情報ファイルは、例えば、社内部署毎、関連部署の多い顧客毎、個人の顧客リストとして作成され、個別に着脱可能メモリ１３に保管される。
【００２５】
送信宛先情報抽出プログラム１５は、予め送信宛先情報ファイル１６の送信宛先の各情報を識別するプログラム（以後抽出プログラムと記す）が格納されている。抽出プログラムの機能を、図２を用いて説明する。送信宛先登録部６が起動されることにより、抽出プログラムがＲＡＭ７上に展開され、ＣＰＵ９が、該送信宛先情報抽出プログラム１５を実行することによって１行目に記録されている登録番号００１番の情報が、「送信宛先が山田太郎」「ＦＡＸ番号が０３−１２３４−５６７８」「Ｅ−ＭＡＩＬアドレスがｙａｍａｄａ＠ｙｙｙ．ｃｏｍ」であることを識別し、２行目に記録されている登録番号００２番が、「送信宛先が浦島太郎」「ＦＡＸ番号が０４５−３２２−８５８８」「Ｅ−ＭＡＩＬアドレスがｕｒａ＠ａｂｖ．ｎｅ．ｊｐ」であることをそれぞれ識別する。３行目以下も同様に識別し、結果、送信宛先データにある全ての送信宛先の各情報が一斉に識別される。
【００２６】
送信宛先登録プログラム１４には、前述の送信宛先情報抽出プログラム１５の実行で識別された送信宛先の各情報をファクシミリ装置１００に登録する為のプログラム（以下、登録プログラムと記す）が予め格納されている。登録プログラムは、抽出プログラムによって識別された全ての送信宛先名称、ＦＡＸ番号、Ｅ−ＭＡＩＬアドレスを、送信宛先記憶部８に格納し、且つ表示部１０に送信宛先リストとして表示させるためのプログラムである。これによりユーザーは、表示された送信宛先の一覧の中から送信宛先を選択操作のみで入力することができる。
【００２７】
ところで、送信宛先情報ファイル１６（以後送信宛先データファイルと記す）には、様々な記録様式が有る。図２では、登録番号、送信宛先名称、ＦＡＸ番号、Ｅ−ＭＡＩＬアドレスの順にカンマで区切って記録され、改行されている。しかし、送信宛先データファイルには、例えば、各情報の配列が異なる場合、電話番号が記入されている場合等が有る。送信宛先データファイルの記録様式が上述のように異なると、送信宛先の各情報が正しく識別されなくなる。よって、送信宛先データファイルは、正しく識別させる抽出プログラムと対にして保管される。
【００２８】
なお、着脱可能メモリ１３には、送信宛先データファイルと抽出プログラムと登録プログラムとを、ＰＣ（パーソナルコンピュータ）を用いて、保存することができるので、例えば、ユーザーが、送信宛先の各情報の追加、訂正及び削除などの作業を行う時は、そのＰＣに備えたキーボードによるキー操作で編集が可能である。
【００２９】
図３は、実施例１のファクシミリ装置の概観図である。
図に示すように着脱可能メモリ１３がファクシミリ装置１００のメモリインターフェース部１２に装着されると、ファクシミリ装置１００は、送信宛先選択モードとなり、直ちに着脱可能メモリ１３に格納されている送信宛先データファイルと抽出プログラムと登録プログラムが読み出される。ファクシミリ装置１００は、着脱可能メモリ１３に格納されていた送信宛先データファイルに記録されていた送信宛先の各情報を、送信宛先記憶部８に格納することになる。ファクシミリ装置１００は、格納された送信宛先の各情報を、表示部１０に表示させ、ユーザーは、この表示部１０の表示を見て、目的の送信宛先を選び、選択操作のみで送信することが可能になる。以下にその動作についてフローチャートを用いて説明する。
【００３０】
図４は、実施例１のファクシミリ装置の動作フローチャートである。
この図は、着脱可能メモリ１３をファクシミリ装置１００に接続し、その着脱可能メモリ１３内に格納されているプログラムを使用し、着脱可能メモリ１３内に格納されている宛先情報を抽出し、抽出した宛先情報を送信宛先記憶部８に登録し、その送信宛先データファイルに基づいてファクシミリ装置１００の送信宛先を選択し希望する宛先に画像データを送信する動作のフローチャートである。
【００３１】
図４について説明する前に、図のフローを説明する中で必要になる図について説明する。
図５は、本発明の待機状態の表示部の説明図である。
図に示すように待機中の現在時２００６−９−１４、ＡＭ１０：１５が表示されている。
図６は、本発明の着脱可能メモリに所望のファイルが無かった時の表示部の説明図である。
図に示すように所望のファイルが無かった場合の時刻２００６−９−１４、ＡＭ１０：１５が表示されている。
図７は、本発明の送信宛先リストの表示例の説明図である。
図に示すように送信宛先リストには、登録番号、氏名、相手先番号、Ｅ−ＭＡＩＬアドレスが複数項目表示される。
【００３２】
以下にステップＳ１−１からステップＳ１−１３までステップ順に実施例１のファクシミリ装置１００の動作について図１を併用しながら説明する。
【００３３】
（ステップＳ１−１）
メモリインターフェース部１２は、例えば、着脱可能メモリ１３がＵＳＢメモリであれば、図示しないＵＳＢ信号のＤ＋もしくはＤ−の信号の変化を受けて、ＣＰＵ９に、着脱可能メモリ１３が装着されたことを伝達する。すると、ＣＰＵ９はファクシミリ装置１００を待機状態から送信宛先選択モードに遷移させる。なお、ＣＰＵ９は、着脱可能メモリ１３が装着されていない時は、ファクシミリ装置１００を待機状態のままとする（表示部１０に図５に示す表示が表示されている）。
【００３４】
（ステップＳ１−２）
ＣＰＵ９は、着脱可能メモリ１３の装着を検知すると送信宛先登録部６を起動する。送信宛先登録部６は、メモリインターフェース部１２を介して着脱可能メモリ１３の中のファイル検索を実行し、登録プログラムと、抽出プログラムと、送信宛先データファイルが格納されているか否かを検出し、検出できたときはステップＳ１−３へ進み、検出されないときはステップＳ１−１３へ進む。
【００３５】
（ステップＳ１−３）
送信宛先登録部６は、送信宛先データファイル、抽出プログラム、及び登録プログラムを読み込んでＲＡＭ７に展開する。
【００３６】
（ステップＳ１−４）
送信宛先登録部６は、まず、ＲＡＭ７に展開された抽出プログラムを実行する。送信宛先情報ファイルの各情報を全て識別すると、ＲＡＭ７に展開された送信宛先登録プログラム１４を実行する。識別された全ての送信宛先の各情報を、ＲＡＭ７の送信宛先記憶部８に格納する。
【００３７】
（ステップＳ１−５）
送信宛先登録部６は、送信宛先記憶部８に送信宛先の各情報が格納されたのを受けて、その送信宛先の各情報を表示部１０に送信宛先リストとして表示させる（表示部１０に図７に示す表示が表示されている）。
【００３８】
（ステップＳ１−６）
ここで、ユーザーの選択待ちとなる。ユーザーは、着脱可能メモリ１３を装着されてから、上記の処理を経て、表示部１０に送信宛先リストが表示されたのを確認すると、表示部１０の中から、ＦＡＸ原稿の送信宛先を選択する。
【００３９】
（ステップＳ１−７）
ユーザーは、表示部１０の送信宛先リストを見ながら、操作部１１の上下釦で送信宛先を選択し、決定するとスタート釦を押す。
【００４０】
（ステップＳ１−８）
ユーザーが、送信宛先を決定し、送信する原稿を原稿台に載置してスタート釦を押すと、画像読取部２が原稿の読み取りを開始する。画像読取部２は、読み取った画像データをＲＡＭ７に展開する。
【００４１】
（ステップＳ１−９）
ＲＡＭ７上への画像データの展開が終了すると、網制御部３は、指定の宛先番号をダイヤルし、選択された送信宛先への回線発呼動作を開始させる。
【００４２】
（ステップＳ１−１０）
送信宛先が発呼動作に応じると、網制御部３は、ファクシミリ通信を開始する。ファクシミリ通信は、まず、モデム部４がＲＡＭ７に格納されている画像データを変調し、変調したデータを網制御部３に送り、網制御部３から送信宛先に送られる。
【００４３】
（ステップＳ１−１１）
次に、ＣＰＵ９は、全ての原稿を読み取り、送信原稿が終了したかどうかを判定する。
例えば、原稿台に読み取る原稿が無くなったかどうかを検出して終了と判定する。
【００４４】
（ステップＳ１−１２）
ファクシミリ通信が終了すると、表示部１０に、前回、原稿を送信した送信宛先が表示され、ステップＳ１−７の状態に戻す。ユーザーは、その場で同様の相手先に違う原稿を送信することもできれば、他の送信宛先に原稿を送信するのも可能である。ユーザーが、作業を終えて着脱可能メモリ１３を取り外すことによって、ファクシミリ装置１００は待機状態に戻る。
【００４５】
（ステップＳ１−１３）
送信宛先登録部６が、着脱可能メモリ１３の中に、登録プログラムと抽出プログラムと送信宛先データファイルが格納されていないことを検出すると表示部１０に、「プログラムがみつかりません」と表示させる。その後、着脱可能メモリ１３が装着されていない場合と同様に、ファクシミリ装置１００を待機状態にする（表示部１０に図６に示す表示が表示されている）。
【００４６】
以上のように、実施例１によれば、着脱可能メモリ１３（ＵＳＢメモリ）に予め、送信宛先データファイルと、抽出プログラムと、登録プログラムとを格納しておくことによって、その着脱可能メモリ１３を装着されたファクシミリ装置で、登録番号、送信宛先名称、ＦＡＸ番号、Ｅ−ＭＡＩＬアドレスの各情報を利用できるようにした。これにより、番号入力の手間が省け、データの汎用性が高まる。
【実施例２】
【００４７】
図８は、実施例２に係るファクシミリ装置の構成のブロック図である。
図に示すように、ファクシミリ装置２００には、印刷部１と、画像読取部２と、網制御部３と、モデム部４と、ＲＯＭ５と、送信宛先登録部６と、ＲＡＭ７と、ＣＰＵ９と、表示部１０と、操作部１１と、メモリインターフェース部１２と、着脱可能メモリ２３と、共通バス１７とを備え、更に送信管理データ１８と時計部１９と送信履歴書込部２０とを備えている。
【００４８】
以下に実施例１と異なる部分のみについて詳細に説明する。実施例１と同様な構成については実施例１と同一の符号で付して説明を省略する。
【００４９】
着脱可能メモリ２３は、ファクシミリ装置２００に後から着脱可能に構成されているメモリである。通常はＵＳＢメモリで構成される。その内部には、送信宛先情報ファイル２６と、送信宛先情報抽出プログラム１５と、送信宛先登録プログラム１４とが予め格納されている。
【００５０】
図９は、実施例２の送信宛先情報ファイルの説明図である。
図に示すように、上段には送信宛先の各情報が記録されており、中央のアスタリスク（＊）で区切られた下段には、送信履歴が記録されている。
【００５１】
送信履歴の最初の行に「００１、２００６−０６−０２，１８：１２：００，１８：１４：０５，００４，ＯＫ」が記録されている。登録番号の００１は、上段の送信宛先の情報から「山田太郎」さんのことを指す。カンマで区切られた次の「２００６−０６−０２」は、山田太郎さんへのファクシミリ通信の開始日時を指す。更に、次のカンマで区切られた次の「１８：１４：０５」は、山田太郎さんへのファクシミリ通信の終了時刻を指す。更に、次のカンマで区切られた「００４」は、山田太郎さんへ送信したファクシミリ通信の原稿の枚数が４枚であることを指し、次のカンマで区切られた「ＯＫ」がファクシミリ通信の成否を指す。
【００５２】
送信管理データ１８は、送信宛先情報ファイル２６に送信履歴として記録されるデータ部分である。送信管理データ１８はファクシミリ通信の履歴を記録し、通信費の集計や、通信成否の確認などに用いられる。前述の通り、送信宛先情報ファイル２６には、予め複数の送信宛先の登録番号、送信宛先名称、ＦＡＸ番号、Ｅ−ＭＡＩＬアドレスの各情報が格納されている。格納されている送信宛先の中から送信宛先を選択して、ファクシミリ通信を行った時に、送信履歴書込部２０（後述）は、その送信履歴を書き込む。
【００５３】
時計部１９は、ファクシミリ通信の時間管理を行う時計である。ＣＰＵ９は、この時計部１９からファクシミリ通信の開始の日時、終了の日時といった現在時刻の情報を入手することが可能になる。
【００５４】
送信履歴書込部２０は、送信宛先情報ファイル２６に送信履歴として記録されるデータを書き込む部分である。
【００５５】
送信宛先情報ファイル２６には、図に示すような送信宛先データが予め格納されている。送信宛先データは、テキストデータで作成され、送信宛先の登録番号、送信宛先名称、ＦＡＸ番号、Ｅ−ＭＡＩＬアドレスの各情報が書き換え可能に記録されている。送信宛先情報ファイルは、例えば、社内部署毎、関連部署の多い顧客毎、個人の顧客リストとして作成され、個別に着脱可能メモリ２３に保管される。実施例２では、送信管理データ１８が書き込まれる。
【００５６】
図１０は、実施例２のファクシミリ装置の動作フローチャートである。
この図は、ファクシミリ通信が終了した際に、送信履歴書込部２０が、上述の送信履歴を各部から入手し、メモリインターフェース部１２を介して、着脱可能メモリ２３内の送信宛先情報ファイル２６に、送信履歴の各情報を書き込むまでの動作のフローチャートである。
【００５７】
図１０について説明する前に、図のフローを説明する中で必要になる図について説明する。
図１１は、実施例２の送信履歴の更新中の表示例の説明図である。
図に示すように送信履歴を書き込み中の現在時２００６−９−１４、ＡＭ１０：１５が表示されている。
【００５８】
以下にステップ順に実施例２のファクシミリ装置２００の動作について図８を併用しながら説明する。なお、ステップＳ２−１からステップＳ２−１１までは、実施例１のステップＳ１−１からステップＳ１−１１までと同様なので説明を省略する。
（ステップＳ２−１２）
ステップＳ２−１１でファクシミリ通信が完了すると、ＣＰＵ９は、各部から送信履歴を入手し、送信履歴書込部２０が、送信宛先情報ファイル２６に送信履歴を書き込み、送信履歴を更新する。
【００５９】
（ステップＳ２−１３）
ファクシミリ通信が終了すると、表示部１０に、前回、原稿を送信した送信宛先が表示され、ステップＳ１−７の状態に戻す。ユーザーは、その場で同様の相手先に違う原稿を送信することもできれば、他の送信宛先に原稿を送信するのも可能である。ユーザーが、作業を終えて着脱可能メモリ２３を取り外すことによって、ファクシミリ装置２００は待機状態に戻る。
【００６０】
（ステップＳ２−１４）
送信宛先登録部６が、着脱可能メモリ２３の中に、送信宛先登録プログラム１４と送信宛先情報抽出プログラム１５と送信宛先情報ファイル２６が格納されていないことを検出すると表示部１０に、「プログラムがみつかりません」と表示させる。その後、着脱可能メモリ２３が装着されていない場合と同様に、ファクシミリ装置２００を待機状態にする（表示部１０に図５示す表示が表示されている）。
【００６１】
以上のように、実施例２では、送信履歴を着脱可能メモリに格納されている送信宛先情報ファイルに記録することで、送信宛先の各情報と送信履歴を同ファイルに格納することができるので、個別のデータベースをとして保有することが可能になる。例えば、客先ごとの通信費の集計、ユーザーごとの通信費の集計が容易となる。
【００６２】
以上、本発明によれば、ユーザーは着脱可能メモリに格納された送信宛先情報ファイルを、ファクシミリ装置に読み込ませて、送信することができるので、番号入力の手間が省ける。また、ユーザーは着脱可能メモリに格納された送信宛先情報ファイルに送信の履歴を記憶させることができる。
【産業上の利用可能性】
【００６３】
なお、実施例１、２では通信装置としてファクシミリ装置に適用した場合について説明してきたが、本発明の趣旨からすれば、相手先を指定して通信する装置、例えば電話機、携帯電話機、ＬＡＮを使用したインターネットＦＡＸ装置、Ｅ−ＭＡＩＬ機能を持ったスキャナー、複合機といった通信機器にも適用できる。
【００６４】
また、実施例１、２では着脱可能な記憶媒体として着脱可能メモリに適用した場合について説明してきたが、本発明の趣旨からすれば、着脱可能な記憶媒体はいかなる種類でもよく、例えば、磁気テープ、磁気ディスク、磁気ドラム、ＤＶＤ−ＲＡＭ、ＤＶＤ−Ｒ／Ｗ、光磁気ディスク、光カード、半導体式メモリ、ＵＳＢメモリにも適用できる。
【図面の簡単な説明】
【００６５】
【図１】実施例１に係るファクシミリ装置の構成のブロック図である。
【図２】実施例１の送信宛先情報ファイルの説明図である。
【図３】実施例１のファクシミリ装置の概観図である。
【図４】実施例１のファクシミリ装置の動作フローチャートである。
【図５】本発明の待機状態の表示部の説明図である。
【図６】本発明の着脱可能メモリに所望のファイルが無かった時の表示部の説明図である。
【図７】本発明の送信宛先リストの表示例の説明図である。
【図８】実施例２に係るファクシミリ装置の構成のブロック図である。
【図９】実施例２の送信宛先情報ファイルの説明図である。
【図１０】実施例２のファクシミリ装置の動作フローチャートである。
【図１１】実施例２の送信履歴を更新中の表示例の説明図である。
【符号の説明】
【００６６】
１  印刷部
２  画像読取部
３  網制御部
４  モデム部
５  ＲＯＭ
６  送信宛先登録部
７  ＲＡＭ
８  送信宛先記憶部
９  ＣＰＵ
１０  表示部
１１  操作部
１２  メモリインターフェース部
１３、２３  着脱可能メモリ
１４  送信宛先登録プログラム
１５  送信宛先情報抽出プログラム
１６、２６  送信宛先情報ファイル
１７  共通バス
１８  送信管理データ
１９  時計部
２０  送信履歴書込部
１００、２００  ファクシミリ装置
【図１】
2009130788.tif 000003
【図２】
2009130788.tif 000004
【図３】
2009130788.tif 000005
【図４】
2009130788.tif 000006
【図５】
2009130788.tif 000007
【図６】
2009130788.tif 000008
【図７】
2009130788.tif 000009
【図８】
2009130788.tif 000010
【図９】
2009130788.tif 000011
【図１０】
2009130788.tif 000012
【図１１】
2009130788.tif 000013